(57)【要約】【課題】家庭で利用でき、簡易な構成でありながら、水や土、小石などの跳ね返りがなく、しかも雑草を根から除去できる除草装置を提供する。【解決手段】除草装置は、管状で、一方の端部に給水口１２を有し、もう一方の端部に吐出口１４を有するノズル１０と、ノズル１０に取り付けた、ノズル１０の少なくとも吐出口１４側を包囲し、かつ、吐出口１４側が開口したカバー２０とで構成される。ノズル１０を除草対象たる雑草の根部分に向け、あるいはさらに突き刺した状態で、吐出口１４から放水することにより、当該根部分に水を集中的に供給して雑草の根を土中から洗い出す。地面から跳ね返った水や泥などはカバー２０によって受け止められ、作業者に掛かったり、周囲に散乱したりすることはない。【選択図】図１
2018023351.tif 000002
【特許請求の範囲】
【請求項１】
管状で、一方の端部に給水口を有し、もう一方の端部に吐出口を有するノズルと、
前記ノズルに取り付けた、前記ノズルの少なくとも前記吐出口側を包囲し、かつ、前記吐出口側が開口したカバーと
を有する除草装置。
【請求項２】
前記ノズルは前記給水口側で散水用ガンの散水口に着脱自在である請求項１の除草装置。
【請求項３】
前記カバーは前記ノズルに沿って進退可能である請求項１又は２の除草装置。
【請求項４】
前記カバーを前記ノズルの前記吐出口側に向けて押すばねを設けた請求項１、２又は３の除草装置。
【請求項５】
前記カバーは透明である請求項１から４のいずれか１項の除草装置。
【発明の詳細な説明】
【技術分野】
【０００１】  この発明は、除草装置に関するもので、雑草を除去するために利用できるほか、葉物や根菜その他の野菜の収穫にも利用することができる。
【背景技術】
【０００２】  従来、機械式の除草装置は種々知られているが、雑草を根ごと完全に抜き取ることは困難である。土中に根が残ってしまうと、また、雑草が生え、頻繁に除去作業を行う必要がある。【０００３】  特許文献１には、高圧水発生器とノズルをホースで連結した高圧水噴射式除草機が記載されている。これは、高圧水発生器で発生した高圧水をノズルから高速で噴射させて、雑草の根部に吹き掛けることにより、草の根部の組織を破壊して雑草を根絶やしにする、というものである。【０００４】  特許文献２には、熱湯等の高温噴射液体を雑草の根元や地中根に注入することにより、根元及び地中根の細胞そのものを壊死させ、雑草全体を枯死させるように企図した雑草除去方法及び除草機が記載されている。【０００５】  一方、家庭における散水用として各種の散水用ガンが知られている（特許文献３参照）。一般に、この種の散水用ガンは、ホースを利用して水道の蛇口に接続し、水道水を散水するようにしたもので、レバー操作によって散水量を調整することができる。
【先行技術文献】
【特許文献】
【０００６】
【特許文献１】実開平０４−００９５８１号公報
【特許文献２】特開平０７−１６３２８５号公報
【特許文献３】特開２００９−１１９４５８号公報
【発明の概要】
【発明が解決しようとする課題】
【０００７】  特許文献１、２に記載された従来の技術は、いずれも、高圧水を発生させる装置が必要であり、家庭の庭や菜園で手軽に利用できるものではない。しかも、高圧水で土や小石が跳ね飛ばされるため、作業者に掛かったり、周囲を汚したりすることになる。【０００８】  この発明の課題は、家庭で利用でき、簡易な構成でありながら、水や土、小石などの跳ね返りがなく、しかも雑草その他の植物を根から除去できる除草装置を提供することにある。
【課題を解決するための手段】
【０００９】  この発明は、ノズルから吐出された水の跳ね返りや散乱を防ぎ、対象となる植物の根部分に集中させるようにしたことを特徴とする。すなわち、この発明の除草装置は、管状で、一方の端部に給水口を有し、もう一方の端部に吐出口を有するノズルと、前記ノズルに取り付けた、前記ノズルの少なくとも前記吐出口側を包囲し、かつ、前記吐出口側が開口したカバーとを有する。【００１０】  除草作業に際しては、ノズルを、対象となる植物の根部分に向けて、吐出口から放水する。このとき、ノズルの吐出口を地面に向けるだけにするか（図５参照）、さらに地面に突き刺す（図４参照）かは、当該植物まわりの地面の固さや、根の深さ等による。たとえば砂地のように、放水によって容易に根が洗い出されるようであれば、必ずしもノズルを突き刺す必要はない。土が固かったり、根が深く張っている場合は、ノズルを適度な深さまで突き刺すことで、根を洗い出して草を容易に引き抜くことができる。
【発明の効果】
【００１１】  この発明の除草装置は、簡易な構成であることから、家庭で手軽に利用できる。たとえば、ホースを利用してノズルの給水口側を水道の蛇口に接続するか、あるいは、散水用ガンに取り付けるだけでよい。前者の場合、蛇口を開閉する手間があるのに対して、後者の場合、放水量や放水の開閉を手元でコントロールできるため、作業が一層容易となる。【００１２】  カバーが取り付けてあるため、水や土、小石などの跳ね返りが防止でき、作業者が汚れる心配がない。しかも、カバーの形状を工夫することにより、跳ね返った水をもどして、狙った植物の根部分に水を集中させることができる。したがって、効率的であるばかりでなく、大量の水を使用しなくても植物の根を洗い出すことができるため、容易に植物を根から抜くことができる。
【図面の簡単な説明】
【００１３】
【図１】実施例を示す斜視図である。
【図２】図１の実施例の分解斜視図である。
【図３】カバーが後退した状態を示す縦断面図である。
【図４】使用状態を示す縦断面図である。
【図５】別の使用状態を示す縦断面図である。
【発明を実施するための形態】
【００１４】  以下、添付図面に従ってこの発明の実施の形態を説明する。
【００１５】  図１に、散水用ガン１０に取り付けた除草装置２０の例を示す。除草装置２０は、ノズル２２とカバー３０とで構成され、アダプタ１２を利用して、ノズル２２の給水口２４側を散水用ガン１０の散水口部分に着脱自在に取り付けてある。図２から分かるように、Ｏリングその他のシール１４を装着して水もれを防止する。なお、散水用ガン１０を使用することなく、ノズル２２の給水口２４に直接、ホース１６の端部を固定して水道の蛇口と接続するようにしてもよい。
【００１６】  ノズル２２は管状で、一方の端部に給水口２４を有し、もう一方の端部に吐出口２６を有する。給水口２４と吐出口２６とは内部の通水孔２８を通じて連通している。ノズル２２の材質としては、地面に突き刺しても変形しない程度の強度を備えていればよく、各種の金属やプラスチックを採用することができる。
【００１７】  ノズル２２は直線状である必要はなく、たとえば、くの字形に曲がったものでもよい。除草等の作業を遂行する際にノズル２２の吐出口２４を対象に向けやすく、また、必要なときは地面に突き刺しやすい形状とすることができる。さらに、任意の形状に曲げた状態で保持できるインターロックチューブを使用してもよい。
【００１８】  カバー３０は、ノズル２２に取り付けてある。カバー３０の形状は、特に限定するものではないが、具体例としては、円すい形状を挙げることができる。なお、カバー３０の役割は、主として、跳ね返った水や泥、小石等が散乱したり、作業者に掛かったりするのを防止することと、水をできるだけ一箇所に集中させることにあることから、必ずしも先端側が広がった円すい形状である必要はない。たとえば、釣鐘形状や、ホタルブクロ（つりがね草）の花冠のように先端側が縮径したものでもよい。
【００１９】  図示した実施例は、円すい形状のカバー３０の例であって、円すいの小径側端部に短軸部３２を有し、この短軸部３２には貫通孔３４が設けてある。貫通孔３４にノズル２２を挿入し、両者のはめあいはルーズフィットとする。ノズル２２と貫通孔３４とは、丸い軸と穴のはめあいに限らず、四角形や多角形その他の断面形状としてもよい。また、図示は省略したが、Ｏリングを装着して水封を講じてもよい。
【００２０】  カバー３０の大径側端部３６は開口しているが、この開口の輪郭は、図示するような真円形に限らず、楕円形や多角形その他の適当な形状とすることができる。
【００２１】  カバー３０はノズル２２を包囲、言い換えれば、ノズル２２の外周側に存在しているが、ノズル２２とカバー３０とは、必ずしも同心状である必要はない。たとえば、ノズル２２に垂直な断面で見て、カバー３０の大径側端部３６の中心がノズル２２に対して偏心していてもよい。
【００２２】  述べたように、ノズル２２とカバー３０とはルーズフィットであることから、カバー３０はノズル２２に沿ってスライド（進退）可能である。そして、ノズル２２の吐出口２６側を地面に突き刺したとき、カバー３０は地面に当たり、ノズル２２上をスライドして相対的に後退することで、ノズル２２が地面に進入するのを許容する（図３及び図４参照）。
【００２３】  カバー３０を、ノズル２２の吐出口２６側に向けて押すばね３８が設けてある。これにより、ノズル２２を地面から引き抜いたとき、ばね３８の作用で、カバー３０がノズル２２の吐出口２６側に進出する。もちろん、このとき、カバー３０がノズル２２から抜け落ちないように、適当なストッパ機構（図示せず）を設ける。
【００２４】  カバー３０の材質は、特に限定するものではないが、透明な材料を採用することにより、外側からカバー３０の内側を目視できるため、植物の根部分の状態を確かめながら除草等の作業をすすめることができるという点で有利である。
【００２５】  上述の実施例の効果を要約するならば次のとおりである。
【００２６】  実施例の除草装置２０は、管状で、一方の端部に給水口２４を有し、もう一方の端部に吐出口２６を有するノズル２２と、前記ノズル２２に取り付けた、前記ノズル２２の少なくとも前記吐出口２６側を包囲し、かつ、前記吐出口２６側が開口したカバー３０とを有する。このように、非常に簡易な構成であることから、家庭で手軽に利用できる。図示した実施例の場合、ノズル２２の給水口２４を散水用ガン１０に取り付けてあるため、放水量や放水の開閉を片手でコントロールでき、除草作業が非常に容易である。
【００２７】  カバー３０は、跳ね返った水や土、小石などを受け止めて、それらが散乱するのを防止する役割を果たす。また、カバー３０の形状によっては、狙った雑草の根部分に水を集中させることができる。したがって、効率的であるばかりでなく、大量の水を使用しなくても雑草の根を洗い出すことができ、雑草を根から除去することができる。
【００２８】  カバー３０は、ノズル２２に沿ってスライド可能であるため、ノズル２２を地面に突き刺したとき、カバー３０はノズル１０上をスライドして相対的に後退することで、ノズル２２が地面に進入するのを許容する。したがって、ノズル２２を地面に突き刺すとき、カバー３０がそれを邪魔することがない。むしろ、カバー３０は、対象となる雑草の根部分の周囲を取り囲み、ノズル２２から吐出された水を当該根部分に集中的に供給する役割を果たす。
【００２９】  カバー３０は、ノズル２２の吐出口２６側に向かって押すばね３８を設けることによって、ノズル２２の突き刺し量に応じてノズル２２上を進退し、対象となる雑草を包囲した状態を維持する。また、ノズル２２を地面から引き抜いたとき、ばね３８の作用でカバー３０がノズル２２の吐出口２６側に進出する。
【００３０】  カバー３０の材質を透明とすることにより、外側からカバー３０の内側を目視できるため、雑草の根部分の状態を確かめながら除草作業をすすめることができる。
【００３１】  ここでは雑草抜きに利用した実施例について述べたが、根菜や葉物野菜の収穫に利用することでもき、その場合、土を洗い流す作業工程を省略することができるため作業能率が向上する。
【００３２】  以上、図面に従ってこの発明の実施の形態を説明したが、この発明は、ここに述べ、かつ、図示した実施の形態に限らず、特許請求の範囲を逸脱することなく種々の改変を加えて実施をすることができることは言うまでもない。
【符号の説明】
【００３３】  １０  散水用ガン
１２  アダプタ
１４    シール
１６  ホース
２０  除草装置
２２  ノズル
２４  後端（給水口）
２６  前端（吐出口）
２８  通水孔
３０  カバー
３２  短軸部
３４  貫通孔
３６  大径側端部
３８  ばね
【図１】
2018023351.tif 000003
【図２】
2018023351.tif 000004
【図３】
2018023351.tif 000005
【図４】
2018023351.tif 000006
【図５】
2018023351.tif 000007